【手続補正書】
【提出日】平成17年5月11日(2005.5.11)
【手続補正１】
【補正対象書類名】明細書
【補正対象項目名】特許請求の範囲
【補正方法】変更
【補正の内容】
【特許請求の範囲】
【請求項１】
領域の属性に基づいて、画像を複数の画像領域に分割する分割工程と、
前記分割工程で分割された複数の画像領域のうち、操作者により指定された属性を有する画像領域を抽出する抽出工程と、
前記抽出工程で抽出された画像領域の１つを表示し、操作者による表示変更指示に応答して、前記指定された属性を有する次の画像領域を表示するように制御する表示工程と、
を有することを特徴とする画像処理方法。
【請求項２】
前記操作者により指定された属性とは、テキスト属性であることを特徴とする請求項１に記載の画像処理方法。
【請求項３】
前記表示工程では、前記テキスト属性を有する画像領域のうちの１つを表示し、更に、前記操作者による表示変更指示に応答して、次に読まれるべき前記テキスト属性を有する画像領域を表示するように制御することを特徴とする請求項２に記載の画像処理方法。
【請求項４】
領域の属性に基づいて、画像を複数の画像領域に分割する分割工程と、
前記分割工程で分割された複数の画像領域のうち、操作者により指定された属性を有する画像領域を抽出する抽出工程と、
前記抽出工程で抽出された複数の画像領域を表示するように制御する第１表示工程と、
前記第１表示工程で表示された複数の画像領域の中から操作者により選択指示された画像領域を選択する選択工程と、
前記選択工程で選択された画像領域を含む前記分割工程で分割される前の画像を表示するように制御する第２表示工程と、
を有することを特徴とする画像処理方法。
【請求項５】
前記画像は複数ページで構成される文書の画像であり、
前記分割工程では、前記画像の各ページを複数の画像領域に分割し、
前記第２表示工程では、前記選択工程で選択された画像領域を含むページの画像を表示するように制御することを特徴とする請求項４に記載の画像処理方法。
【請求項６】
前記画像領域は、連続している所定濃度の画素を検出することにより矩形領域として認識され、前記矩形領域の幅、高さ、面積、画素密度を用いてその属性が識別されることを特徴とする請求項１乃至５のいずれかに記載の画像処理方法。
【請求項７】
領域の属性に基づいて、画像を複数の画像領域に分割する分割手段と、
前記分割手段で分割された複数の画像領域のうち、操作者により指定された属性を有する画像領域を抽出する抽出手段と、
前記抽出手段で抽出された画像領域の１つを表示し、操作者による表示変更指示に応答して、前記指定された属性を有する次の画像領域を表示するように制御する表示手段と、
を有することを特徴とする画像処理装置。
【請求項８】
前記操作者により指定された属性とは、テキスト属性であることを特徴とする請求項７に記載の画像処理装置。
【請求項９】
前記表示手段では、前記テキスト属性を有する画像領域のうちの１つを表示し、更に、前記操作者による表示変更指示に応答して、次に読まれるべき前記テキスト属性を有する画像領域を表示するように制御することを特徴とする請求項８に記載の画像処理装置。
【請求項１０】
領域の属性に基づいて、画像を複数の画像領域に分割する分割手段と、
前記分割手段で分割された複数の画像領域のうち、操作者により指定された属性を有する画像領域を抽出する抽出手段と、
前記抽出手段で抽出された複数の画像領域を表示するように制御する第１表示手段と、
前記第１表示手段で表示された複数の画像領域の中から操作者により選択指示された画像領域を選択する選択手段と、
前記選択手段で選択された画像領域を含む前記分割手段で分割される前の画像を表示するように制御する第２表示手段と
を有することを特徴とする画像処理装置。
【請求項１１】
前記画像は複数ページで構成される文書の画像であり、
前記分割手段では、前記画像の各ページを複数の画像領域に分割し、
前記第２表示手段では、前記選択手段で選択された画像領域を含むページの画像を表示するように制御することを特徴とする請求項１０に記載の画像処理装置。
【請求項１２】
前記画像領域は、連続している所定濃度の画素を検出することにより矩形領域として認識され、前記矩形領域の幅、高さ、面積、画素密度を用いてその属性が識別されることを特徴とする請求項７乃至１１のいずれかに記載の画像処理装置。
【請求項１３】
領域の属性に基づいて、画像を複数の画像領域に分割する分割工程と、
前記分割工程で分割された複数の画像領域のうち、操作者により指定された属性を有する画像領域を抽出する抽出工程と、
前記抽出工程で抽出された画像領域の１つを表示し、操作者による表示変更指示に応答して、前記指定された属性を有する次の画像領域を表示するように制御する表示工程と、
の各工程をコンピュータに実行させるためのプログラムコードを格納したコンピュータ可読記憶媒体。
【請求項１４】
領域の属性に基づいて、画像を複数の画像領域に分割する分割工程と、
前記分割工程で分割された複数の画像領域のうち、操作者により指定された属性を有する画像領域を抽出する抽出工程と、
前記抽出工程で抽出された複数の画像領域を表示するように制御する表示工程と、
前記表示工程で表示された複数の画像領域の中から操作者により選択指示された画像領域を選択する選択工程と、
前記選択工程で選択された画像領域を含む前記分割工程で分割される前の画像を表示するように制御する第２の表示工程と、
の各工程をコンピュータに実行させるためのプログラムコードを格納したコンピュータ可読記憶媒体。
【手続補正２】
【補正対象書類名】明細書
【補正対象項目名】０００９
【補正方法】変更
【補正の内容】
【０００９】
【課題を解決するための手段】
上記目的を達成するため、本発明に係る画像処理方法にあっては、領域の属性に基づいて、画像を複数の画像領域に分割する分割手段と、前記分割手段で分割された複数の画像領域のうち、操作者により指定された属性を有する画像領域を抽出する抽出手段と、前記抽出手段で抽出された画像領域の１つを表示し、操作者による表示変更指示に応答して、前記指定された属性を有する次の画像領域を表示するように制御する表示手段と、を有することを特徴とする。また、本発明に係る他の画像処理方法にあっては、領域の属性に基づいて、画像を複数の画像領域に分割する分割工程と、前記分割工程で分割された複数の画像領域のうち、操作者により指定された属性を有する画像領域を抽出する抽出工程と、前記抽出工程で抽出された複数の画像領域を表示するように制御する第１表示工程と、前記第１表示工程で表示された複数の画像領域の中から操作者により選択指示された画像領域を選択する選択工程と、前記選択工程で選択された画像領域を含む前記分割工程で分割される前の画像を表示するように制御する第２表示工程と、を有することを特徴とする。
【手続補正３】
【補正対象書類名】明細書
【補正対象項目名】００１０
【補正方法】変更
【補正の内容】
【００１０】
上記目的を達成するため、本発明に係る画像処理装置にあっては、領域の属性に基づいて、画像を複数の画像領域に分割する分割手段と、前記分割手段で分割された複数の画像領域のうち、操作者により指定された属性を有する画像領域を抽出する抽出手段と、前記抽出手段で抽出された画像領域の１つを表示し、操作者による表示変更指示に応答して、前記指定された属性を有する次の画像領域を表示するように制御する表示手段と、を有することを特徴とする。また、本発明に係る他の画像処理装置にあっては、領域の属性に基づいて、画像を複数の画像領域に分割する分割手段と、前記分割手段で分割された複数の画像領域のうち、操作者により指定された属性を有する画像領域を抽出する抽出手段と、前記抽出手段で抽出された複数の画像領域を表示するように制御する第１表示手段と、前記第１表示手段で表示された複数の画像領域の中から操作者により選択指示された画像領域を選択する選択手段と、前記選択手段で選択された画像領域を含む前記分割手段で分割される前の画像を表示するように制御する第２表示手段とを有することを特徴とする。
【手続補正４】
【補正対象書類名】明細書
【補正対象項目名】００１１
【補正方法】変更
【補正の内容】
【００１１】
上記目的を達成するため、本発明に係るコンピュータ可読記憶媒体にあっては、領域の属性に基づいて、画像を複数の画像領域に分割する分割工程と、前記分割工程で分割された複数の画像領域のうち、操作者により指定された属性を有する画像領域を抽出する抽出工程と、前記抽出工程で抽出された画像領域の１つを表示し、操作者による表示変更指示に応答して、前記指定された属性を有する次の画像領域を表示するように制御する表示工程と、の各工程をコンピュータに実行させるためのプログラムコードを格納する。また、本発明に係る他のコンピュータ可読記憶媒体にあっては、領域の属性に基づいて、画像を複数の画像領域に分割する分割工程と、前記分割工程で分割された複数の画像領域のうち、操作者により指定された属性を有する画像領域を抽出する抽出工程と、前記抽出工程で抽出された複数の画像領域を表示するように制御する表示工程と、前記表示工程で表示された複数の画像領域の中から操作者により選択指示された画像領域を選択する選択工程と、前記選択工程で選択された画像領域を含む前記分割工程で分割される前の画像を表示するように制御する第２の表示工程と、の各工程をコンピュータに実行させるためのプログラムコードを格納する。